(57)【要約】【課題】簡単な構成で光学フィルタ４００を安定して取り付けできる表示装置１００を提供する。【解決手段】導電ゴムなどの弾性を有する部材にて所定の硬度に断面略Ｕ字状に形成した弾性部材２４０を、光学フィルタ４００の周縁に表面側および裏面側に亘って位置する状態に取り付ける。ＰＤＰ３００の周縁部を覆う状態に配設する枠状本体２１０とにより弾性部材２４０を介して光学フィルタ４００を狭持する状態に、取付部材２５０を枠状本体２１０に取り付け、光学フィルタ４００をＰＤＰ３００の表示面３０１に対向して覆う状態に枠状本体２１０に取り付ける。取付部材２５０の取付による応力集中などを防止して良好に光学フィルタ４００を取り付けできる。【選択図】図１
2007206173.tif 000002
【特許請求の範囲】
【請求項１】
表示面を有する表示装置本体と、
この表示装置本体の周縁部を覆う状態に前記表示装置本体が取り付けられる導電性を有した枠状本体と、
前記枠状本体に前記表示装置本体の表示面に対向して覆う状態に配置される透光性を有した保護板と、
前記保護板の周縁に表面側および裏面側に位置して配設され少なくとも前記保護板の表面側に位置される少なくとも表面に導電性を有した弾性部材と、
前記枠状本体とにより前記弾性部材を介して前記保護板を狭持する状態に前記枠状本体に取り付けられる導電性を有した取付部材と、
を具備したことを特徴とした表示装置。
【請求項２】
請求項１に記載の表示装置であって、
前記弾性部材は、前記保護板の周縁に表面側と裏面側とが一連に設けられ、前記保護板の表面側から裏面側に亘って配設される
ことを特徴とした表示装置。
【請求項３】
請求項１または請求項２に記載の表示装置であって、
前記弾性部材は、内周側に前記保護板の周縁が挿入される断面略Ｕ字状に形成された
ことを特徴とした表示装置。
【請求項４】
請求項１ないし請求項３のいずれかに記載の表示装置であって、
前記弾性部材は、導電ゴムにて形成された
ことを特徴とした表示装置。
【請求項５】
請求項１ないし請求項４のいずれかに記載の表示装置であって、
前記弾性部材は、表面に導電性を有する導電層が被覆形成された
ことを特徴とした表示装置。
【請求項６】
請求項１ないし請求項５のいずれかに記載の表示装置であって、
前記弾性部材は、ＪＩＳ  Ｋ  ６２５３に規定された硬度で３０以上４０以下に形成された
ことを特徴とした表示装置。
【請求項７】
請求項１ないし請求項６のいずれかに記載の表示装置であって、
前記表示装置本体は、プラズマディスプレイパネルであり、
前記保護板は、電磁波の透過を抑制するフィルタ処理が施されたものである
ことを特徴とした表示装置。
【請求項８】
請求項７に記載の表示装置であって、
前記保護板は、ガラス基板と、このガラス基板の表面および裏面のうちの少なくともいずれか一方に前記弾性部材が接触可能に被覆形成された導電性を有した金属層と、を備えた
ことを特徴とした表示装置。
【発明の詳細な説明】
【技術分野】
【０００１】
本発明は、表示装置本体の表示面を覆う透光性を有した保護板を備えた表示装置に関する。
【背景技術】
【０００２】
従来、このような構成の表示装置として、各種取付機構を用いて表示装置本体が取り付けられる枠体に保護板を取り付ける構成が知られている（例えば、特許文献１参照）。
【０００３】
特許文献１に記載のものは、プラズマディスプレイパネル（ＰＤＰ）を用いた表示装置におけるＰＤＰの背面にたてたボスなどで筐体に取り付け、プラズマディスプレイ装置を構成する。ＰＤＰの全面に、表示画質の改善などのためにガラス板にて形成され表面または裏面にＩＴＯ膜などの可視光を透過し、その他の電磁波の通過を防止する導電膜を形成した光学フィルタを装着する。光学フィルタの周辺における筐体の前面枠への取付部に、硬質ゴムなどの弾性体を装着している。そして、取付金具で前面枠の内側にねじ止めなどで取り付ける。この取付の際、弾性体により、光学フィルタに加わる応力が均一化され、歪みを与えることを防止している。
【０００４】
【特許文献１】特開平１０−１１７３１３号公報
【発明の開示】
【発明が解決しようとする課題】
【０００５】
しかしながら、上記特許文献１に記載のような取付金具により取り付ける構成では、光学フィルタの周辺と筐体の前面枠の取付部との間に弾性体が介在されるものの、取付金具により取り付ける位置では、弾性体が介在されておらず、十分な応力の均一化が得られない。特に、駆動時に放熱するプラズマディスプレイパネルでは、取付金具による取付により光学フィルタの荷重が部分的に加わって光学フィルタが損傷したり、取付ガタが生じたりするなどのおそれがある。
【０００６】
本発明は、このような点を一つの課題として捉え、簡単な構成で保護板の安定した取付状態が得られる表示装置を提供することを１つの目的とする。
【課題を解決するための手段】
【０００７】
請求項１に記載の発明は、表示面を有する表示装置本体と、この表示装置本体の周縁部を覆う状態に前記表示装置本体が取り付けられる導電性を有した枠状本体と、前記枠状本体に前記表示装置本体の表示面に対向して覆う状態に配置される透光性を有した保護板と、前記保護板の周縁に表面側および裏面側に位置して配設され少なくとも前記保護板の表面側に位置される少なくとも表面に導電性を有した弾性部材と、前記枠状本体とにより前記弾性部材を介して前記保護板を狭持する状態に前記枠状本体に取り付けられる導電性を有した取付部材と、を具備したことを特徴とした表示装置である。
【発明を実施するための最良の形態】
【０００８】
以下に、本発明の一実施の形態における表示装置を図面に基づいて説明する。なお、この一実施の形態では、表示装置本体として、プラズマディスプレイパネル（Plasma Display Panel：ＰＤＰ）を例示するが、例えば、液晶表示パネル、有機ＥＬ（Electro Luminescence）パネル、ＦＥＤ（Field Emission Display）、電気泳動ディスプレイパネルなど、画面表示するいずれの形態をも対象とすることができる。さらには、表示装置本体としては、画面表示する表示面が平面のものに限らず、例えば湾曲する形状でも適用できる。図１は、表示装置の概略構成を示す一部を切り欠いた断面図である。図２は、光学フィルタと弾性部材との概略構成を示す分解斜視図である。
【０００９】
〔表示装置の構成〕
図１において、１００は表示装置で、この表示装置１００は、図示しない入力端子に入力された画像データを画面表示する装置である。この表示装置１００は、筐体２００と、表示装置本体としてのＰＤＰ３００と、保護板としての光学フィルタ４００と、図示しない制御部と、などを備えている。
【００１０】
筐体２００は、ＰＤＰ３００、光学フィルタ４００および制御部を組み付け固定する。この筐体２００は、枠状本体２１０と、背面カバー２２０と、化粧枠２３０と、弾性部材２４０と、取付部材２５０と、などを備えている。
【００１１】
枠状本体２１０は、例えば鋼板にてプレス加工により四角枠状に形成されている。この枠状本体２１０は、例えば亜鉛メッキなどにて表面処理され表面に導電性が付与されている。なお、表面に導電性が付与される構成に限らず、導電性の材料にて形成された構成としてもよい。
そして、枠状本体２１０は、略中央に四角形の表示窓２１１Ａを開口する四角枠板状の前面部２１１と、この前面部２１１の各辺からそれぞれ同方向に略垂直に折曲されてそれぞれの長手方向の端部が接合されて略四角筒状に形成された筒部２１２と、この筒部２１２の先端縁から内周側に向けて略垂直に前面部２１１と略平行となる状態に折曲された接合部２１３とを有し、略四角枠状に形成されている。
また、前面部２１１には、内周側に突出する状態に略円筒状に設けられ、内周面に図示しない雌ねじが設けられた取付ボス２１１Ｂが所定の位置に複数設けられている。さらに、接合部２１３には、内周面に図示しない雌ねじが設けられた取付孔が所定の位置に複数穿設されている。
さらに、枠状本体２１０には、例えば鋼板にて形成され、ＰＤＰ３００と、このＰＤＰ３００の縁に設けられた図示しない引出電極にいわゆるフレキシブルケーブルにて接続されＰＤＰ３００の各セルを適宜放電させる制御をする駆動回路や、電力を供給する図示しない電源装置など、ＰＤＰ３００に画面表示させるための制御部とが取り付けられる図示しない中ケースが取付可能となっている。
【００１２】
背面カバー２２０は、例えば鋼板にてプレス加工により、一面側を開放し、略中央が一面側に膨出する略皿形状に形成されている。この背面カバー２２０には、略中央が膨出する側と反対側に周縁部から折曲された取付フランジ部２２１が折曲形成されている。この取付フランジ部２２１には、枠状本体２１０の接合部２１３の取付孔に対応して、取付ねじ２２２が挿通される図示しないねじ孔が穿設されている。
そして、背面カバー２２０は、取付フランジ部２２１が枠状本体２１０の接合部２１３に取付ねじ２２２によりねじ止めされて枠状本体２１０の背面側を覆う状態に取り付けられる。
【００１３】
化粧枠２３０は、例えば合成樹脂などにて四角枠状に形成されている。この化粧枠２３０は、枠状本体２１０の筒部２１２の外面側を略覆う形状の四角筒状の化粧筒部２３１と、この化粧筒部２３１の一縁から一連に設けられ枠状本体２１０の前面部２１１の前面側を略覆う覆い部２３２と、を有し、四角枠状に形成されている。
そして、化粧枠２３０には、枠状本体２１０に設けられた図示しない係止孔に係脱する図示しない係合爪部が設けられ、化粧枠２３０は係合爪部が係止孔に係脱可能に係止され、枠状本体２１０の外周面および前面側を覆う状態に枠状本体２１０に着脱可能に取り付けられる。
【００１４】
弾性部材２４０は、図１および図２に示すように、弾性を有する部材、例えば導電ゴムにて光学フィルタ４００の各辺の長さに対応した長手状に形成されている。この弾性部材２４０は、長手方向に沿って凹溝状で光学フィルタ４００の縁が挿入される挿入溝２４１を有し、長手方向の両側が光学フィルタ４００の厚さ寸法と略同寸法で対向する状態に断面略Ｕ字状に形成されている。なお、特に耐熱性を有した弾性の部材が好ましい。
この弾性部材２４０は、例えばＪＩＳ  Ｋ  ６２５３（タイプＡ）に規定された硬度で３０以上４０以下に形成されている。すなわち、詳細は後述するが、硬度が３０より小さくなると、柔らか過ぎて取付部材２５０にて光学フィルタ４００を安定して保持できないおそれがある。一方、硬度が４０より大きくなると、硬過ぎて取付部材２５０にて取り付ける際に取付位置以外で十分に押さえきれず、取付部材２５０が変形して隙間が生じるおそれがある。このため、弾性部材２４０を硬度が３０以上４０以下で形成することが好ましい。
さらに、この弾性部材２４０の表面には、例えば金属繊維、銅箔テープ、導電塗料の塗布により形成された導電被覆層など、導電層２４２が被覆形成されている。
【００１５】
取付部材２５０は、図１に示すように、枠状本体２１０とにより弾性部材２４０を介して光学フィルタ４００を狭持する状態に枠状本体２１０に取り付けられる。この取付部材２５０は、例えば鋼板にて形成され、光学フィルタ４００の各辺の長さに対応した長手状で長手方向に沿った略中央で段差状に折曲形成された略板状に形成された取付金具２５１を備えている。この取付金具２５１は、長手板状の押さえ板部２５１Ａと、この押さえ板部２５１Ａの長手方向の一縁から段差状に折曲形成された取付板部２５１Ｂと、を有している。
また、取付金具２５１の取付板部２５１Ｂには、枠状本体２１０の前面部２１１の取付ボス２１１Ｂに対応して、取付部材２５０を構成する取付ねじ２５２が嵌挿される図示しないねじ孔が設けられている。
そして、取付金具２５１は、枠状本体２１０と同様に、例えば亜鉛メッキなどにて表面処理され表面に導電性が付与されている。
【００１６】
光学フィルタ４００は、図１および図２に示すように、例えばガラス板４００Ａにて枠状本体２１０の表示窓２１１Ａを閉塞する大きさの板状に形成され、表面に色補正や反射防止、電子波の透過阻止などのためのフィルタ処理が施されている。このフィルタ処理としては、ガラス板４００Ａの一面である裏面側に、例えば積層する状態に取り付けた金属メッシュ、金属蒸着による金属膜など、層状に金属層４０１を設けることが例示できる。なお、この金属層４０１は、可視光を十分に透過する十分な透光性を有する状態に設けられている。
また、光学フィルタ４００には、裏面側の周縁に位置して帯状で、金属層４０１に電気的に接続して導通する状態に、周縁導電部４０２が設けられている。この周縁導電部４０２は、例えば金属メッシュ、金属繊維、銅箔テープ、導電塗料の塗布にて被膜状に形成される導電被膜など、いずれの方法で形成することができる。
そして、光学フィルタ４００は、周縁の各辺にそれぞれ弾性部材２４０が取り付けられ、取付金具２５１の押さえ板部２５１Ａと枠状本体２１０の前面部２１１との間で、弾性部材２４０を介して狭持される状態に取付金具２５１が枠状本体２１０に取付ねじ２５２により取り付けられる。この取り付けられた状態では、弾性部材２４０の内周面が周縁導電部４０２に接触する状態となり、金属層４０１が弾性部材２４０を介して枠状本体２１０に導通する状態となっている。
【００１７】
〔表示装置の動作〕
次に、上記表示装置１００の組立動作として光学フィルタ４００を取り付ける動作について説明する。なお、組立動作としては、説明の都合上、単に光学フィルタ４００を着脱する動作で説明し、ＰＤＰ３００や制御部、背面カバー２２０を取り付けるなどの工程については省略する。
【００１８】
まず、光学フィルタ４００の周縁の各辺にそれぞれ弾性部材２４０を取り付ける。この弾性部材２４０の取付は、弾性部材２４０の挿入溝２４１に光学フィルタ４００の周縁を差し込むようにして取り付ける。そして、周縁に弾性部材２４０がそれぞれ取り付けられた光学フィルタ４００を、枠状本体２１０の表示窓２１１Ａを閉塞する状態に、枠状本体２１０の内側に配置させる。
この後、取付部材２５０の取付金具２５１を、押さえ板部２５１Ａが弾性部材２４０に重なり、取付板部２５１Ｂが枠状本体２１０の取付ボス２１１Ｂの先端に載置する状態に配置させる。そして、取付ねじ２５２を取付板部２５１Ｂのねじ孔を介して取付ボス２１１Ｂに所定のトルクとなるように螺着し、取付金具２５１を枠状本体２１０に取り付け、光学フィルタ４００が枠状本体２１０に取り付けられる。
【００１９】
この取付ねじ２５２にて取り付ける際、取付金具２５１により弾性部材２４０が弾性に抗して多少潰れる状態に取り付けられる。
このことにより、光学フィルタ４００と枠状本体２１０との間に例えば電磁波が漏洩する隙間などが生じずに枠状本体２１０内が密封される状態に光学フィルタ４００が枠状本体２１０に取り付けられる。
さらに、この光学フィルタ４００が取り付けられた状態では、弾性部材２４０が光学フィルタ４００の周縁導電部４０２に圧着するとともに取付金具２５１および枠状本体２１０に圧着する状態となり、光学フィルタ４００の金属層４０１が弾性部材２４０を介して枠状本体２１０に導通する状態が得られる。
【００２０】
〔表示装置の作用効果〕
上述したように、上記実施の形態では、透光性を有する光学フィルタ４００の周縁に、少なくとも光学フィルタ４００の表面側に位置する部分における表面に導電性を有した弾性部材２４０を光学フィルタ４００の表面側と裏面側とに位置する状態に配設する。ＰＤＰ３００の周縁部を覆う状態に配設する枠状本体２１０とにより弾性部材２４０を介して光学フィルタ４００を狭持する状態に、取付部材２５０を枠状本体２１０に取り付け、光学フィルタ４００をＰＤＰ３００の表示面３０１に対向して覆う状態に枠状本体２１０に取り付ける。
このため、光学フィルタ４００と枠状本体２１０および取付部材２５０との間に弾性部材２４０が介在し、取付部材２５０が光学フィルタ４００に直接接触しないので、取付部材２５０にて光学フィルタ４００を押さえ付けるように取り付けても、取付部材２５０により光学フィルタ４００に局部的に応力が作用することなく、光学フィルタ４００の保持のための取付部材２５０による狭持力が弾性部材２４０により略均一に光学フィルタ４００に作用する。特に、ＰＤＰ３００の駆動による熱が取付部材２５０や光学フィルタ４００に作用して、光学フィルタ４００の内部応力や取付部材２５０の熱膨張などによる応力が発生しやすい表示装置１００でも、応力を分散して吸収でき、また耐熱のためにガラス板４００Ａを用いて比較的に重量がある光学フィルタ４００の荷重を集中することなく分散して吸収できる。したがって、光学フィルタ４００を損傷することなく良好に保持でき、また熱による安定した取り付け状態が得られる。
【００２１】
そして、弾性部材２４０を、光学フィルタ４００の表面側から裏面側に亘って位置する状態に一連に形成されている。
このため、一部材で安定した取付状態が得られ、弾性部材２４０を容易に形成できる。
【００２２】
また、弾性部材２４０を光学フィルタ４００の周縁が挿入される挿入溝２４１を有した断面略Ｕ字状に形成している。
このため、簡単な形状で安定した取付状態が得られ、弾性部材２４０をさらに容易に形成できる。
また、例えば弾性部材２４０の弾性に抗して挿入溝２４１の幅を広げる状態に光学フィルタ４００が挿入される状態とすることで、光学フィルタ４００の周縁に弾性部材２４０が弾性に抗した復元力により支えなくして取り付けられる状態が得られ、より光学フィルタ４００の取付作業性を向上できる。
【００２３】
さらに、弾性部材２４０を導電ゴムにて形成している。
このため、光学フィルタ４００の金属層４０１が弾性部材２４０を介して枠状本体２１０に導通する状態が得られ、別体の導通のための部材が不要で、表示装置１００の製造性を向上できる。さらに、表面のみに導電層２４２を設ける場合に比して、例えば組み立ての際に弾性部材２４０の表面が傷付けられるなどして導電層２４２が剥離する状態となって良好な導通が得られなくなるなどの不都合が生じるおそれもなく、導電層２４２を表面に設けるための工程も不要で、単に弾性部材２４０を成形する工程のみで導電性が得られ、製造性を向上できる。
そして、弾性部材２４０として耐熱性を有した弾性の部材にて形成することで、ＰＤＰ３００からの熱により劣化して弾性による狭持状態が得られなくなるなどの不都合が生じず、長期間安定して光学フィルタ４００を保持できる。
【００２４】
また、弾性部材２４０の表面に導電層２４２を設けている。このため、単に導電ゴムのみで形成した場合に比して、光学フィルタ４００の金属層４０１と枠状本体２１０との電気抵抗をより小さくでき、電磁波の漏洩をより防止できる。
【００２５】
そして、弾性部材２４０として、ＪＩＳ  Ｋ  ６２５３に規定された硬度で３０以上４０以下に形成している。
このため、柔らか過ぎて安定した保持ができない、あるいは硬過ぎて取付金具２５１が取付ねじ２５２によりねじ止めする際のねじ止め位置以外で十分に押さえきれず、取付金具２５１が変形して隙間が生じて安定した保持ができない、などの不都合が生じるおそれがなく、良好に弾性変形して応力集中を分散しつつ弾性変形による復元力にて適切な保持力が得られ、安定して光学フィルタ４００を取り付けできる。
さらに、弾性部材２４０を長手状に形成している。
このため、例えば押し出し成形などの簡単な成形方法でも成形でき、弾性部材２４０を容易に形成できる。
【００２６】
特に、ＰＤＰ３００の動作により生じる電磁波の透過を抑制するフィルタ処理を光学フィルタ４００に施した構成に適用している。
このため、ＰＤＰ３００の保護のみならず、電磁波の漏洩も良好に防止できる。
【００２７】
〔実施形態の変形〕
なお、本発明は、上述した一実施の形態に限定されるものではなく、本発明の目的を達成できる範囲で以下に示される変形をも含むものである。
【００２８】
すなわち、上述した実施の形態では、断面略Ｕ字状に形成した弾性部材２４０を用いて説明したが、例えば光学フィルタ４００の表面側に接触される部分と裏面側に接触される部分とが導電テープなどの連結部材にて連結された構成とするなど、光学フィルタ４００の周縁に枠状本体２１０側となる表面側と取付金具２５１側となる裏面側とに位置する形状に形成してもよい。
なお、連結部材などにて連結した一体構造とすることで、光学フィルタ４００への取付が容易となり、取付作業性を向上できるとともに、部品管理が容易にできる。特に、導電テープなどの導電性部材にて連結することで、光学フィルタ４００の裏面側に設けられる金属層４０１が導電部材および弾性部材２４０を介して枠状本体２１０に導通する状態が得られ、取付向きなどもなく、より取付作業性を向上できる。
【００２９】
そして、弾性部材２４０として、光学フィルタ４００の辺の長さに対応した長手状に形成したが、例えば取付部材２５０にて取り付けられる位置に対応した長さ寸法で形成するなどしてもよい。
また、光学フィルタ４００の各辺にそれぞれ取り付ける構成を例示したが、例えば光学フィルタ４００の２辺に亘って取り付ける平面視で略Ｌ形状に形成してもよい。この構成によれば、同一形状となり、製造する弾性部材２４０が一形状となり、弾性部材２４０の製造性を向上できるとともに、組付作業時に形状の異なる弾性部材２４０を選択する必要が無く効率よく組み立て形成できる。さらには、弾性部材２４０の管理も容易となる。
さらに、導電ゴムにて形成して説明したが、導電性を有しないゴムなどの弾性部材の表面に導電層２４２を設けるなど、少なくとも枠状本体２１０と導通が得られる状態に表面に導電性を付与した構成としてもよい。この導電層２４２のみを設ける構成では、高価な導電ゴムを用いる必要が無く、弾性部材２４０を安価に製造できる。一方、導電層２４２を設けず、単に導電ゴムにて形成した構成としてもよい。さらには、ＪＩＳ  Ｋ  ６２５３に規定された硬度３０以上４０以下に限られるものではない。
そして、断面略Ｕ字状に形成したが、例えば平板状に形成し、光学フィルタ４００を取り付ける際に光学フィルタ４００の周縁に表面側から裏面側に亘って配設されるように屈曲させて利用するなどしてもよい。
【００３０】
また、光学フィルタ４００として、電磁波の透過を抑制するフィルタ処理、例えば十分な透光性が得られる金属層４０１を設けた構成を例示したが、十分な透過率が確保できるいずれの方式で形成してもよい。そして、電磁波の透過を抑制する構成に限らず、例えば反射を防止するためのフィルタ処理などを施してもよい。
さらに、裏面側にのみ設けて説明したが、表面側に設けたり、表裏の両面に設けたりしてもよい。
そして、金属層４０１として、ガラス板４００Ａの周縁に位置して帯状に金属層４０１に導通する状態に周縁導電部４０２を設けて説明したが、例えば周縁導電部４０２を設けず、弾性部材２４０を金属層４０１に直接接触させる構成としてもよい。
【００３１】
さらに、取付部材２５０を取付金具２５１および取付ねじ２５２にて構成して説明したが、枠状本体２１０とにて弾性部材２４０を介して光学フィルタ４００を狭持する状態に取り付けるいずれの構成とすることができる。
【００３２】
本発明は、上述した一実施の形態および実施形態の変形のみに限ることなく、その他、本発明の目的を逸脱しない範囲で様々な応用が可能である。
【００３３】
〔実施の形態の作用効果〕
上述したように、上記実施の形態では、透光性を有する光学フィルタ４００の周縁に、少なくとも光学フィルタ４００の表面側に位置する部分における表面に導電性を有した弾性部材２４０を光学フィルタ４００の表面側と裏面側とに位置する状態に配設する。ＰＤＰ３００の周縁部を覆う状態に配設する枠状本体２１０とにより弾性部材２４０を介して光学フィルタ４００を狭持する状態に、取付部材２５０を枠状本体２１０に取り付け、光学フィルタ４００をＰＤＰ３００の表示面３０１に対向して覆う状態に枠状本体２１０に取り付ける。
このため、光学フィルタ４００と枠状本体２１０および取付部材２５０との間に弾性部材２４０が介在し、取付部材２５０が光学フィルタ４００に直接接触しないので、取付部材２５０にて光学フィルタ４００を押さえ付けるように取り付けても、取付部材２５０により光学フィルタ４００に局部的に応力が作用することなく、光学フィルタ４００の保持のための取付部材２５０による狭持力が弾性部材２４０により略均一に光学フィルタ４００に作用する。特に、ＰＤＰ３００の駆動による熱が取付部材２５０や光学フィルタ４００に作用して、光学フィルタ４００の内部応力や取付部材２５０の熱膨張などによる応力が発生しやすい表示装置１００でも、応力を分散して吸収でき、また耐熱のためにガラス板４００Ａを用いて比較的に重量がある光学フィルタ４００の荷重を集中することなく分散して吸収できる。したがって、光学フィルタ４００を損傷することなく良好に保持でき、また熱による安定した取り付け状態が得られる。
【図面の簡単な説明】
【００３４】
【図１】本発明の一実施の形態に係る表示装置の概略構成を示す一部を切り欠いた断面図である。
【図２】前記一実施の形態における表示装置での光学フィルタと弾性部材との概略構成を示す分解斜視図である。
【符号の説明】
【００３５】
１００      表示装置
２１０      枠状本体
２４０      弾性部材
２４２      導電層
２５０      取付部材
３００      表示装置本体としてのプラズマディスプレイパネル（ＰＤＰ）
３０１      表示面
４００      保護板としての光学フィルタ
４００Ａ    ガラス板
４０１      金属層
【図１】
2007206173.tif 000003
【図２】
2007206173.tif 000004